【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  それぞれの接合端に沿って外側端面と中間面と内側端面とを含む段部が形成された一対の厚肉被接合材を、前記外側端面同士を突き合わせた際に、前記両厚肉接合材の中間面と内側端面とで形成される凹部に、該凹部と同一又は相似の断面形状の接続板を装入し、接合する厚肉被接合材の接合方法であって、
前記外側端面同士の該突合せ部、前記接続板と前記各厚肉被接合材の内側端面との突合せ部、前記接続板と前記凹部の底面との境界面をそれぞれ摩擦攪拌接合すること、
を特徴とする厚肉被接合材の接合方法。
【請求項２】  それぞれの接合端に沿って外側端面と中間面と内側端面とを含む段部が形成された一対の厚肉被接合材の前記外側端面同士を突き合わせて、該突合せ部を摩擦攪拌接合する第一工程と、
前記両厚肉被接合材の中間面と内側端面とで形成される凹部に、該凹部と同一又は相似の断面形状の接続板を装入する第二工程と、
前記接続板と前記各厚肉被接合材の内側端面との突合せ部をそれぞれ摩擦攪拌接合するとともに、前記接続板と前記凹部の底面との境界面を摩擦攪拌する第三工程と、
を含んでなることを特徴とする厚肉被接合材の接合方法。
【請求項３】  前記第三工程において、前記接続板と前記各厚肉被接合材の内側端面との突合せ部を摩擦攪拌接合した後に、前記接続板と前記凹部の底面との境界面を摩擦攪拌する、
ことを特徴とする請求項２に記載の厚肉被接合材の接合方法。
【請求項４】  それぞれの接合端に沿って外側端面と中間面と内側端面とを含む段部が形成された一対の厚肉被接合材の前記外側端面同士を突き合わせるとともに、前記両厚肉被接合材の中間面と内側端面とで形成される凹部に、該凹部と同一又は相似の断面形状の接続板を装入する第一工程と、
前記一対の厚肉被接合材の外側端面同士を突き合わせてなる突合せ部と、前記接続板と前記各厚肉被接合材の内側端面との突合せ部と、についてそれぞれ摩擦攪拌接合を施すとともに、前記接続板と前記凹部の底面との境界面を摩擦攪拌する第二工程と、
を含んでなることを特徴とする厚肉被接合材の接合方法。
【請求項５】  前記第二工程において、前記一対の厚肉被接合材の外側端面同士を突き合わせてなる突合せ部と、前記接続板と前記各厚肉被接合材の内側端面との突合せ部と、についてそれぞれ摩擦攪拌接合を施した後に、前記接続板と前記凹部の底面との境界面を摩擦攪拌する、
ことを特徴とする請求項４に記載の厚肉被接合材の接合方法。
【請求項６】  前記接続板と前記凹部の底面との境界面の摩擦攪拌を、前記接続板と前記各厚肉被接合材の内側端面との突合せ部を横断して施す、
ことを特徴とする請求項２乃至請求項５のいずれか一項に記載の厚肉被接合材の接合方法。
【請求項７】  前記接続板と前記凹部の底面との境界面を摩擦攪拌する際に、該接続板の中心部から周縁部に向かって摩擦攪拌用ツールを移動させる、
ことを特徴とする請求項２乃至請求項６のいずれか一項に記載の厚肉被接合材の接合方法。
【請求項８】  それぞれの接合端に沿って外側端面と中間面と内側端面とを含む段部が形成され、前記外側端面同士が突き合わされた一対の厚肉被接合材と、
前記両厚肉被接合材の中間面と内側端面とで形成される凹部に装入された、該凹部と同一又は相似の断面形状の接続板と、
を備え、
前記両厚肉被接合材の外側面同士を突き合わせてなる突合せ部と、前記接続板と前記各厚肉被接合材の内側端面との突合せ部と、がそれぞれ摩擦攪拌接合されているとともに、前記接続板と前記凹部の底面との境界面が摩擦攪拌されている、
ことを特徴とする厚肉被接合材の接合構造。
【請求項９】  前記接続板と前記凹部の底面との境界面の摩擦攪拌が、前記接続板と前記各厚肉被接合材の内側端面との突合せ部を横断して施されている、
ことを特徴とする請求項８に記載の厚肉被接合材の接合構造。
【手続補正２】
【補正対象書類名】明細書
【補正対象項目名】０００６
【補正方法】変更
【補正の内容】
【０００６】
【課題を解決するための手段】
すなわち、請求項１に係る発明は、それぞれの接合端に沿って外側端面と中間面と内側端面とを含む段部が形成された一対の厚肉被接合材を、前記外側端面同士を突き合わせた際に、前記両厚肉接合材の中間面と内側端面とで形成される凹部に、該凹部と同一又は相似の断面形状の接続板を装入し、接合する厚肉被接合材の接合方法であって、前記外側端面同士の該突合せ部、前記接続板と前記各厚肉被接合材の内側端面との突合せ部、前記接続板と前記凹部の底面との境界面をそれぞれ摩擦攪拌接合すること、を特徴とする厚肉被接合材の接合方法である。
また、請求項２に係る発明は、それぞれの接合端に沿って外側端面と中間面と内側端面とを含む段部が形成された一対の厚肉被接合材の前記外側端面同士を突き合わせて、該突合せ部を摩擦攪拌接合する第一工程と、前記両厚肉被接合材の中間面と内側端面とで形成される凹部に、該凹部と同一又は相似の断面形状の接続板を装入する第二工程と、前記接続板と前記各厚肉被接合材の内側端面との突合せ部をそれぞれ摩擦攪拌接合するとともに、前記接続板と前記凹部の底面との境界面を摩擦攪拌する第三工程と、を含んでなることを特徴とする接合方法である。
さらに、請求項４に係る発明は、それぞれの接合端に沿って外側端面と中間面と内側端面とを含む段部が形成された一対の厚肉被接合材の前記外側端面同士を突き合わせるとともに、前記両厚肉被接合材の中間面と内側端面とで形成される凹部に、該凹部と同一又は相似の断面形状の接続板を装入する第一工程と、前記一対の厚肉被接合材の外側端面同士を突き合わせてなる突合せ部と、前記接続板と前記各厚肉被接合材の内側端面との突合せ部と、についてそれぞれ摩擦攪拌接合を施すとともに、前記接続板と前記凹部の底面との境界面を摩擦攪拌する第二工程と、を含んでなることを特徴とする接合方法である。
そして、請求項８に係る発明は、それぞれの接合端に沿って外側端面と中間面と内側端面とを含む段部が形成され、前記外側端面同士が突き合わされた一対の厚肉被接合材と、前記両厚肉被接合材の中間面と内側端面とで形成される凹部に装入された、該凹部と同一又は相似の断面形状の接続板と、を備え、前記両厚肉被接合材の外側面同士を突き合わせてなる突合せ部と、前記接続板と前記各厚肉被接合材の内側端面との突合せ部と、がそれぞれ摩擦攪拌接合されているとともに、前記接続板と前記凹部の底面との境界面が摩擦攪拌されている、ことを特徴とする接合構造である。
【手続補正３】
【補正対象書類名】明細書
【補正対象項目名】０００８
【補正方法】変更
【補正の内容】
【０００８】
また、請求項３に係る発明は、請求項２に記載の接合方法の第三工程において、前記接続板と前記各厚肉被接合材の内側端面との突合せ部を摩擦攪拌接合した後に、前記接続板と前記凹部の底面との境界面を摩擦攪拌する、ことを特徴とする。
また、請求項５に係る発明は、請求項４に記載の接合方法の第二工程において、前記一対の厚肉被接合材の外側端面同士を突き合わせてなる突合せ部と、前記接続板と前記各厚肉被接合材の内側端面との突合せ部と、についてそれぞれ摩擦攪拌接合を施した後に、前記接続板と前記凹部の底面との境界面を摩擦攪拌する、ことを特徴とする。
【手続補正４】
【補正対象書類名】明細書
【補正対象項目名】００１０
【補正方法】変更
【補正の内容】
【００１０】
また、請求項６に係る発明は、請求項２乃至請求項５のいずれか一項に記載の接合方法において、前記接続板と前記凹部の底面との境界面の摩擦攪拌を、前記接続板と前記各厚肉被接合材の内側端面との突合せ部を横断して施す、ことを特徴とする。
また、請求項９に係る発明は、請求項８に記載の接合構造において、前記接続板と前記凹部の底面との境界面の摩擦攪拌が、前記接続板と前記各厚肉被接合材の内側端面との突合せ部を横断して施されている、ことを特徴とする。
【手続補正５】
【補正対象書類名】明細書
【補正対象項目名】００１２
【補正方法】変更
【補正の内容】
【００１２】
また、請求項７に係る発明は、請求項２乃至請求項６のいずれか一項に記載の接合方法において、前記接続板と前記凹部の底面との境界面を摩擦攪拌する際に、該接続板の中心部から周縁部に向かって摩擦攪拌用ツールを移動させる、ことを特徴とする。